(57)【要約】【課題】一の動力源によって連動する指間や手のひらのマッサージ機構、手、腕のツボ指圧などを行うマッサージ機構および腕のマッサージ機構を一の基台の上にコンパクトに設計し、手軽に利用できる腕専用の多機能マッサージ機を提供することを目的にする。【解決手段】基台の上に腕指圧機構、腕マッサージ機構、手のひらマッサージ機構及び指間マッサージ機構を設けると共に駆動装置と駆動力伝達手段を備える。モータに接続した駆動軸に凸部を有する偏心カムを取り付けて、指圧手段を上下動させる。ベベルギアを介してモータの駆動力をマッサージ軸体を備えた腕マッサージローラに伝達し、プーリとベルトを介して手のひらマッサージ機構と指間ローラに伝える。主軸とこれの周りに放射状に配した従属軸とをギアで連動させて回転させ、指間のマッサージを行うのである。【選択図】図１
2010017489.tif 000002
【特許請求の範囲】
【請求項１】
基台の上に腕指圧機構、腕マッサージ機構、手のひらマッサージ機構及び指間マッサージ機構を設けると共に一の駆動装置と駆動力伝達手段を備えたことを特徴とする腕専用の多機能マッサージ機。
【請求項２】
駆動手段のモータ軸に嵌着した、凸部を有する偏心カムによって揺動する施療手段と、腕載置台からなる腕指圧機構と、
ギアを介して偏心カム駆動軸と連動する腕マッサージ回転軸に、マッサージ軸体を環状に配してなるローラを取り付けた腕マッサージ機構と、
腕マッサージ回転軸に取り付けた動力伝達手段を介して駆動する手のひらマッサージ回転軸に、マッサージ軸体を環状に配したローラを取り付けた手のひらマッサージ機構と、
手のひらマッサージ回転軸に取り付けたギアを介して駆動する主軸となる指間ローラ軸の周囲に、主軸と連動する複数の従属軸を取り付けた指間ローラ機構を、
基台の上に備えた腕専用の多機能マッサージ機。
【発明の詳細な説明】
【技術分野】
【０００１】
本発明は前腕、すなわち肘から先端部分にかけてマッサージを施すマッサージ機に関する。
【０００２】
より詳しくは前腕のツボの指圧、腕、手のひらのマッサージ及び指間のマッサージ機構を有する腕専用の多機能マッサージ機に係る発明である。
【背景技術】
【０００３】
手や腕は身体の中でも最も使用している部分であり、デスクワークにけるパソコンやマウスの操作による手首や指の疲れ、肩凝りなどの症状に悩む人々の数が増加している。
又手には身体中の神経が集中しており、前腕のツボ指圧や手のひらのマッサージ、指の間のマッサージが全身の疲れを緩和し、腰痛や冷え性、内臓の慢性疾患の軽減に効果があることが知られている。そこで、現在に至るまで多数のマッサージ機が開発されている。
【０００４】
例えば回転駆動する施療子を有する足指間のマッサージ機がある（特許文献１）。
【０００５】
又、本体ケースに回転自在に軸支された凹凸付きのマッサージ軸体をモータによって回転させ、指又は手のひらをマッサージするマッサージ機がある（特許文献２）。
【０００６】
又、保持体に取り付けた指圧体を施療部上において、腕又は錘等で押さえて指圧を行う指圧器がある（特許文献３）。
【０００７】
更に手や腕のマッサージ手段を有する椅子式マッサージ機において手又は腕に対してポイント押しを施すための突起部や手のひらの合谷のツボを圧迫する突起部が設けられているものがある（特許文献４）。  
【特許文献１】特開２０００−１５７５８７号公報
【特許文献２】特開平５−２６１１３５号公報
【特許文献３】特開平１０−１５０３０号公報
【特許文献４】特開２００５−１７７２７９号公報
【発明の開示】
【発明が解決しようとする課題】
【０００８】
特許文献1の足指間のマッサージ機を手指間のマッサージ機に応用することは可能かとも考えられるが、この文献に記載された発明のように施療子が単体の回転軸からなる場合は、摩擦力が大きく指の間の皮膚を傷めることになる。又、この発明の請求項4において施療子に回転、湾曲などの複雑な動作を行わせる構造について記載されているが、機構が複雑なものとなりコスト高と成るおそれがある。
【０００９】
特許文献３に記載された指圧器は、効果的な指圧を行うことを目的として開発されたものであるが、押圧手段は腕や錘などによるもので機械的に得られるものではなく指圧を行う人の疲労が大きい。
【００１０】
最後に椅子式マッサージ機の一機能として、突起による腕や手の押圧機構を有するものがあるが、押圧手段が空気袋によるものでありソフトな施療感となりツボ指圧効果としては物足らないものがある。その上、椅子式マッサージ機は高額で場所もとるため手軽に利用することが難しい。
【００１１】
又、上述のように腕や手のマッサージ機の単機能を有するマッサージ機はあるが腕専用の多機能を一台に備えたマッサージ機はなかった。
【００１２】
そこで、本発明では指間や手のひらのマッサージ、手、腕のツボ指圧などを行うマッサージ手段を一台にまとめると共にコンパクトに設計し、手軽に利用することを可能にした。
【課題を解決するための手段】
【００１３】
基台の上に腕指圧機構、腕マッサージ機構、手のひらマッサージ機構及び指間マッサージ機構を設けると共に駆動装置と駆動力伝達手段を備える。
【００１４】
モータに接続した駆動軸に凸部を有する偏心カムを取り付けて、指圧手段を上下動させる。ベベルギアを介してモータの駆動力をマッサージ軸体を備えた腕マッサージローラに伝達し、プーリとベルトを介して手のひらマッサージ機構と指間ローラ機構に伝える。主軸とこれの周りに放射状に配した従属軸とから成る指間ローラをギアで連動させて回転させ、指間のマッサージを行うのである。
【発明の効果】
【００１５】
一台に腕のマッサージ及び指圧、手のひらのマッサージ及び指の間のマッサージ機構が設けられているため、手のほとんどの部分のマッサージが本願のマッサージ機一台で行うことができる。
【００１６】
基台の上にコンパクトに設計できるために、設置場所に困らずまた、軽量で持ち運びでき、どこででも手軽に腕や手のマッサージが可能である。
【００１７】
ひとつの駆動手段であるモータですべての機構が同時に動くため、一人の使用者が両手、両腕を同時にマッサージできる、また、向かい合わせ等になって複数の人が同時にマッサージを行える。
【００１８】
駆動源がモータひとつであるため複数のマッサージ機構をコンパクトに配備でき省スペース化を実現できるのである。
【発明を実施するための最良の形態】
【００１９】
以下、本発明の最適な実施の形態について図面を参照しながら詳述する。
【００２０】
図１はマッサージ機１の全体を示す概略正面図で、図２が同、平面図である。マッサージ機１は基台２の上に主な機構である腕指圧機構４、指圧時の腕の保持台３、前腕のマッサージ機構５、手のひらマッサージ機構6及び７、そして指間マッサージ機構８、駆動源である電動モータ９及び動力伝達機構１０を設けて成る。
【００２１】
前述のとおり、本願は腕専用の多機能マッサージ機である。以下、それぞれの機能を順に説明する。
【００２２】
まず、ケーシング11内に内設し、基台２に取り付けられたモータ９の回転は駆動軸12によって腕指圧機構４に伝えられる。モータ９から延設した電源コード13の先端にはマッサージ機の電源のオンオフやモータの回転速度を変えることができるコントローラ1４を取り付ける。このコントローラ１４には連続作動時間を設定するタイマーを設けてもよい。モータ９を低速回転させると施療強さの弱いマッサージとして、又、高速回転させると施療強さの強いマッサージとして使用者に感覚されるため、モータの回転速度を変化させることでマッサージに強弱をつけることができるのである。又、モータ熱を冷却させるモー
タファンをケーシングに取り付けることが望ましい（図示せず）。
【００２３】
図３が腕指圧機構４の説明図である。駆動軸１２に嵌合した偏心カム15には複数の凸部１６が設けられている。偏心カム１５の回転により施療手段１８が腕保持台３に接近、離間し、施療手段先端部１８aが凸部１６に接触する時に腕保持台3に載せた腕のツボを指圧するのである。最適な指圧時間は1秒程度である。指圧時間が長すぎるとかえって痛みを生じることがあるからである。一秒程度の強い指圧を２、３回連続で行うことで快適な押圧感が得られるのである。但し、押圧時間や連続して指圧を行う回数などは偏心カム15に設ける凸部１６の大きさや数によって適宜変更可能である。
【００２４】
一端１８aが偏心カム１５に接触する鎌形の指圧手段１８の他端１８ｂは筒状中空体に形成されており、付勢手段であるバネ17を巻装した軸状の施療子１９を摺動自在に内設している。
【００２５】
指圧手段１８は基台２に立設した支持杆２０に取り付けた略鎌型の指圧手段保持具２１によって保持されている。指圧手段１８に設けた摺動溝１８cと指圧手段保持具２１に設けた摺動溝（図示せず）を連通した後、連結軸２２で支持杆２０に取り付ける。偏心カム１５の回転に伴って指圧手段１８が連結軸２２に沿って揺動運動を繰り返すのである。
【００２６】
また、指圧する腕を置く腕保持台３の下部には腕保持台３を上下動させる高さ調整機構が設けられている。
【００２７】
この機構の説明図となるのが図４の分解斜視図である。
【００２８】
ギア２９を嵌挿した高さ調整軸３０が一対の軸受け（図示せず）を解してベース３１に回動自在に軸支されている。高さ調整軸３０の両端には一対の操作杆３２が取り付けられており、操作杆３２を上下動させると高さ調整軸３０が正逆両方向へ回転する。摺動軸２５を内設した、腕載置台３を保持する保持筒２３の周面の一部を切り欠いて平面２３bとする。当該平面２３bに、溝を多数設けたラック２４を取り付け、ギア２９を噛合させながら操作杆３２を上下動させると、ベース３１に立設した摺動軸２５に添って保持筒２３が上下に移動するのである。
【００２９】
腕載置台３の高さ調整機能を設けたことで、腕の太さや柔らかさ、凝りの程度による指圧感の違い、たとえば、腕の太い人は痛みを感じ、腕の細い人は物足らないといった不都合が生じず、性別や腕の太さ等の違いを問わず、使用者の所望する最適な強さで指圧を行うことができるのである。さらに同じ使用者であっても肘から腕の先端にかけて、また、手の甲や手のひらのツボの指圧も可能となるのである。コントローラによるモータ回転速度の変更とあわせてより微妙なマッサージの強弱の調整ができるのである。
【００３０】
保持筒２３には長手方向に４本の孔２３aが穿設されており、付勢手段であるつるまきバネ２８が自然長を圧縮した状態でそれぞれ挿入されている。保持筒２３に被覆するプラスチックカバー２７にはラック２４を露出させる切り欠き部２７ｂが設けられている。
【００３１】
保持筒２３をカバー２７で覆った後、腕載置台３のねじ孔３ａ、３ａとカバー２７のねじ孔２７ａ、２７ａ及び保持筒のねじ穴２３a、２３aを連通し、連結ねじ２６、２６で保持筒２３に載置台３（図４には表示せず）を固定するのである。
【００３２】
腕の指圧を行う施療子１９の先端にはゴム製のキャップ３３がはめ込まれており、これにより指圧時の腕の当たりが良くなる。さらに、バネ１７や載置台保持筒２３に内装したつるまきバネ２８の付勢力により施療子１９の押圧力に逃げを生じさせることができる。
従って機械的な指圧であっても指圧力が強くなりすぎて事故や怪我につながる恐れがないのである。
【００３３】
偏心カム１５を嵌着した回転軸１２の動きは軸１２に嵌合したベベルギア４３を介して腕のマッサージ機構５へと伝達される。
【００３４】
ベベルギア４３と直行する角度で噛合するベベルギア４４を嵌合した回転軸３５には軸心方向に放射状に配設された施療手段を有するローラ３４aが取り付けられている。ローラ３４aの回転軸３５の回転はプーリ３６からベルト３７を介してもう一つのローラ３４ｂの回転軸３８に取り付けたプーリ３９に伝えられ、ローラ３４aと３４ｂは同時に回転するのである。この実施形態ではマッサージローラの数を二つにしたが、ひとつでもまた三つ以上設けてもかまわない。
【００３５】
ローラ３４a、３４bに取り付けた施療手段であるマッサージ軸体には本例では二種類の形状があり、中央部が膨らみ両端が細くなった軸体４０と表面に突起を設けた軸体４１を交互に複数本配設して、二つのローラを構成している。
【００３６】
基台２上に固定された腕載置台４２上には開口部４２aを二箇所設け、腕載置台４２に腕を乗せると、台の下部で回転する軸体４０、４１が腕に接触してローリングマッサージを行うのである。
【００３７】
使用者は手のひらを下に向けたり上に向けたりして腕の表裏や、載置台４２上で腕を前後させて前腕のあらゆる部分をマッサージできるのである。
【００３８】
次に、手のひらマッサージ機構６及び７の説明に移る。
手のひらマッサージ機構を駆動させる駆動軸５１は軸受けとなるケーシング５２及び支持柱５３によって支持されて、基台２の上方に配置される（図１、図５）。
【００３９】
ケーシング５２の左右には二種類の手のひらローラ４５、４６が設けられている。ローラ４５は多数の軸体４７を駆動軸５１の軸心方向から放射状に配置したものであり、手のひらローラ４５の手前に設けられた手のひら載置台４８に手首を置いて手のひら全体をローラ４５に乗せてマッサージを行う。
【００４０】
一方、ローラ４６は表面に多数の突起を有する三本の軸体４９から構成され、こちらは軸体全体を手で握ることにより手のひらマッサージを行う。ローラ４６を握る力を変えることで、使用者自身がマッサージの強弱を容易に調整可能である。さらに、それぞれの軸体４９が軸心５０によって軸支されているためローラ４６全体の回転と共にそれぞれの軸体４９の回転によるマッサージ効果も期待できるのである。
【００４１】
ローラ４５、４６の駆動力は腕マッサージ機構５から伝達される。
【００４２】
モータ９の回転が腕マッサージ機構の駆動軸３５の端部に取り付けたプーリ５４と手のひらマッサージ回転軸５１に取り付けたプーリ５５へとベルト５６を介して伝えられるのである。
【００４３】
プーリ等の動力伝達機構１０はケーシング５７によって覆われている。
【００４４】
最後に指間マッサージ機構８について図５ないし図７を参照しながら説明する。
【００４５】
図５が手のひらマッサージ機構及び指間マッサージ機構の概略図、図６が指間マッサー
ジローラの平面図、図７が指間マッサージローラにおける回転軸の拡大説明図である。
【００４６】
図５に示すように手のひらローラの駆動軸５１の回転が同軸に嵌着したベベルギア５８と直交する方向に噛合するベベルギア５９を嵌合した指間ローラの主軸となる駆動軸６０に伝達される。
【００４７】
指間ローラは中心となる駆動軸６０とその周囲に放射状に配した４本の従属軸６１からなる。主軸となる駆動軸６０と従属軸６１の上端部は上方に設けた軸受け６２によって軸支されている。主軸下部に取り付けたギア６３と従属軸下部に嵌合したピニオンギア６４が噛合し主軸と共に４本の従属軸が回転するのである。
【００４８】
使用者は、指載せ台６７の上に手のひらを置き、指の間に指間ローラを挟みこんで手を前後させ、指と指との間のマッサージを行うのである。指載せ台６７の上には滑り止めの布６６が貼着されてある。そのほかのマッサージを行う台も適宜滑り止めあるいは手のあたりを柔らかくするために、布等で被覆することが望ましい。
【００４９】
一本の軸の回転による指間マッサージでは摩擦力が大きくなりすぎて指の間の皮膚を傷める恐れがあるが、本願の指間ローラでは複数の従属軸の回転によって指の間を複数個所同時にマッサージできるため痛みを感じることなく適度な使用感を持ってマッサージを行えるのである。
【００５０】
上述の多機能を備えた腕専用マッサージ機は基台の上に各種マッサージ手段を適宜配置してコンパクトに設計可能である。
【００５１】
マッサージ機構の配置はこの実施の形態に限定されるものではなく、一のモータの駆動力を様々な伝達手段によって伝達し、すべての機構が連動できる配置であれば適宜組み合わせて応用可能である。  
【００５２】
又、ハンドルなどの提げ手を設けると手軽に持ち運びができるため、時間や場所に制限されずにマッサージを受けることができる。また下部にツボの本やタオルなどを収納するスペースを設けると共にキャスターを取り付けると移動可能でありながら安定感のあるマッサージ機が完成する。
【００５３】
このように本願のマッサージ機はデスクトップあるいは据え置きタイプのマッサージ機に製造可能であるが、いずれもコンパクトに作ることができるために場所をとらず、手軽にマッサージを施せるのである。
【産業上の利用可能性】
【００５４】
本願は腕の指圧、手のひら及び指間などの腕専用のマッサージ機に利用可能である。
【図面の簡単な説明】
【００５５】
【図１】マッサージ機の概略斜視図。
【図２】同、平面図。
【図３】腕指圧機構の説明図。
【図４】腕保持台高さ調節機構の分解斜視図。
【図５】手のひらマッサージ機構及び指間マッサージ機構の概略説明図。
【図６】指間マッサージローラの平面図。
【図７】指間マッサージローラの説明図。
【符号の説明】
【００５６】
１、マッサージ機    ２、基台
３、腕保持台      ４、腕指圧機構
５、腕マッサージ機構    ６、７、手のひらマッサージ機構
８、指間マッサージ機構  ９、モータ
１０、動力伝達機構    １５、偏心カム
１８、指圧手段    １９、施療子
１２、３５、３８、５１、６０、駆動軸
３４a、３４b、ローラ（腕用）
４５、４６、ローラ（手のひら用）
４３、４４、５８、５９、ベベルギア
３６、３９、５４、５５、プーリ
３７、５６ベルト
【図１】
2010017489.tif 000003
【図２】
2010017489.tif 000004
【図３】
2010017489.tif 000005
【図４】
2010017489.tif 000006
【図５】
2010017489.tif 000007
【図６】
2010017489.tif 000008
【図７】
2010017489.tif 000009